(57)【要約】【課題】情報処理装置側からの操作により画像処理装置からの出力を行わせる作業を容易に行うことができる画像形成システムを得る。【解決手段】端末側制御部は、ファイル指定データをＳＭＳによって画像形成装置側に送信する（Ｓ１）。装置側制御部は、この携帯端末がこの対象ファイルにアクセスする権限があるか否かを判定する（Ｓ３）。権限があると認識されたら（Ｓ３：Ｙｅｓ）、装置側制御部は、この出力が行われる際の設定を、段階的な問い合わせ形式で携帯端末側に対して行う。ここでは、まず、前記の出力の態様のどちらを選択するかの問い合わせが行われ、これをテキストデータ化したものが設定選択用データとなり、装置側制御部は、この設定選択用データをＳＭＳにより携帯端末に送信する（Ｓ４）。端末側制御部は、この問い合わせの回答となるテキストデータを応答データとして設定し、ＳＭＳにより画像形成装置に送信する（Ｓ６）。【選択図】図３
2020005082.tif 000002
【特許請求の範囲】
【請求項１】
ユーザーによる操作を受け付ける操作パネルを有し電話回線と接続される情報処理装置と、前記電話回線と接続され前記情報処理装置からの操作によって対象ファイルの出力を行わせる画像処理装置と、が用いられる画像処理システムであって、
前記画像処理装置は、
前記出力を行わせる際の前記画像処理装置の設定を選択させる内容を含む設定選択用データを、前記情報処理装置側に前記電話回線を通じて送付させる装置側制御部を具備し、
前記情報処理装置は、
前記対象ファイルのアクセス情報を含むファイル指定データ、及び前記設定選択用データに対する回答となる選択結果を含む応答データを、前記画像処理装置側に前記電話回線を通じて送付させる端末側制御部を具備し、
前記装置側制御部は、前記ファイル指定データに基づき前記対象ファイルを入手し、前記応答データに基づき前記対象ファイルを出力させることを特徴とする画像処理システム。
【請求項２】
前記設定選択用データ、前記ファイル指定データ、及び前記応答データは、いずれもテキストデータで構成され、ＳＭＳ（Ｓｈｏｒｔ  Ｍｅｓｓａｇｅ  Ｓｅｒｖｉｃｅ）により送付されることを特徴とする請求項１に記載の画像処理システム。
【請求項３】
前記対象ファイルは、前記画像処理装置、又は前記画像処理装置とネットワークを介して接続された機器の内部に記憶されたことを特徴とする請求項１又は２に記載の画像処理システム。
【請求項４】
前記画像処理装置からの前記設定選択用データの送付、及び当該設定選択用データに対応した前記情報処理装置からの前記応答データの送付は、複数回にわたり行われることを特徴とする請求項１から請求項３までのいずれか１項に記載の画像処理システム。
【請求項５】
前記装置側制御部は、前記対象ファイルを出力させる前において最後に前記応答データを受信した後に、全ての前記応答データにおける内容が含まれる出力設定データを、前記情報処理装置側に前記電話回線を通じて送付することを特徴とする請求項４に記載の画像処理システム。
【請求項６】
前記装置側制御部は、前記情報処理装置側への送付の前に、前記画像処理装置において、ユーザーに前記出力設定データを編集させることを特徴とする請求項５に記載の画像処理システム。
【請求項７】
前記装置側制御部は、前記情報処理装置の識別情報に基づき、前記設定選択用データの送付の可否を判定することを特徴とする請求項１から請求項６までのいずれか１項に記載の画像処理システム。
【請求項８】
複数の前記画像処理装置が用いられ、複数の前記画像処理装置のうちの選択された一つから前記対象ファイルの出力が行われる設定とされ、
前記端末側制御部は、前記画像処理装置の選択結果を含む装置指定データを、前記電話回線を通じて送付させ、
複数の前記画像処理装置とネットワークを介して接続され、前記情報処理装置側から前記電話回線を通じて前記ファイル指定データ、前記応答データ、及び前記装置指定データをを入手するサーバーを具備し、
前記サーバーは、前記装置指定データに基づいて選択された前記画像処理装置に対して、入手した前記ファイル指定データ及び前記応答データを送信することを特徴とする請求項１から請求項７までのいずれか１項に記載の画像処理システム。
【請求項９】
ユーザーによる操作を受け付ける操作パネルを有し電話回線を介して画像処理装置と接続され、前記画像処理装置又は前記画像処理装置とネットワークを介して接続された機器の内部に記憶された対象ファイルを前記画像処理装置から出力させる指示を行う情報処理装置であって、
前記対象ファイルのアクセス情報を含むファイル指定データ、及び前記出力を行わせる際の前記画像処理装置の設定を選択させる内容の前記画像処理装置からの問い合わせに対する回答となる応答データを、テキストデータとして前記画像処理装置側に前記電話回線を通じて送付させる制御部を具備することを特徴とする情報処理装置。
【発明の詳細な説明】
【技術分野】
【０００１】
本発明は、画像を様々な態様で出力する画像処理装置が用いられる画像処理システムに関する。また、この画像処理装置と組み合わせてこの画像処理システムを構成する情報処理装置に関する。
【背景技術】
【０００２】
携帯端末等の小型の情報処理装置を用い、この携帯端末と離間した場所にあるプリンター（画像形成装置あるいは画像処理装置）から印刷出力を行わせることにより、ユーザーにとっての画像形成装置の利便性を高めることができる。こうした技術として、例えば特許文献１に記載されたものがある。この技術においては、携帯端末及び画像形成装置とネットワークを介して接続されたサーバーが用いられ、携帯端末から画像形成装置に対する印刷の指示は、サーバーを介して行われる。
【０００３】
この際、携帯端末からサーバー側には、印刷の指示をする電子メールが送信される。この電子メールにおいては、印刷の対象となるファイル（文書ファイル等）が添付されると共に、その本文中では、印刷の設定条件（用紙設定、カラー、頁構成等）が記載されている。この電子メールを受信したサーバーは、この印刷を実行させるための指示を選択された画像形成装置に送信する。
【０００４】
この技術においては、ユーザーが直接操作する携帯端末において行われる操作は、サーバーに対する電子メールの送信のみである。この操作においては、例えば画像形成装置を直接操作するためのプリンタードライバー等は、サーバー側にのみ設ければよく、携帯端末には設ける必要がなく、携帯端末に要求される機能は、基本的には電子メールを作成・送信する機能のみとなる。この際、上記のような印刷の設定条件は、ユーザーが直接入力しても携帯端末の制御部が作成してもよいが、どちらの場合でも、その内容はテキストデータとしてユーザーが確認することができる。また、複数の異なる画像形成装置が用いられる場合に、プリンタードライバーを機種毎にサーバー側に設ければ、携帯端末側の構成（アプリケーション）は変更をする必要がない。
【先行技術文献】
【特許文献】
【０００５】
【特許文献１】特開２０１３−１４５５３６号公報
【発明の概要】
【発明が解決しようとする課題】
【０００６】
上記の構成において、携帯端末側から送信する電子メールの送信ファイルは、印刷の対象となるファイルに応じて、そのファイルサイズが大きくなったため、携帯端末によっては、上記のような電子メールの送信をすることが困難であった。
【０００７】
また、実際には上記のような印刷の設定条件の作成は必ずしも容易ではなく、携帯端末側における上記の電子メールの作成は、ユーザーが画像形成装置の取扱説明書等を見ながら行われた。この場合、画像形成装置から離れた携帯端末の操作のみで容易に画像形成装置から出力を行わせることができるという、上記の利便性が損なわれた。
【０００８】
このため、情報処理装置側からの操作により画像処理装置からの出力を行わせる作業を容易に行うことができる画像形成システムが求められた。
【０００９】
本発明はこのような状況に鑑みてなされたものであり、上記課題を解決できる技術を提供することを目的とする。
【課題を解決するための手段】
【００１０】
本発明の画像処理システムは、ユーザーによる操作を受け付ける操作パネルを有し電話回線と接続される情報処理装置と、前記電話回線と接続され前記情報処理装置からの操作によって対象ファイルの出力を行わせる画像処理装置と、が用いられる画像処理システムであって、前記画像処理装置は、前記出力を行わせる際の前記画像処理装置の設定を選択させる内容を含む設定選択用データを、前記情報処理装置側に前記電話回線を通じて送付させる装置側制御部を具備し、前記情報処理装置は、前記対象ファイルのアクセス情報を含むファイル指定データ、及び前記設定選択用データに対する回答となる選択結果を含む応答データを、前記画像処理装置側に前記電話回線を通じて送付させる端末側制御部を具備し、前記装置側制御部は、前記ファイル指定データに基づき前記対象ファイルを入手し、前記応答データに基づき前記対象ファイルを出力させることを特徴とする。
本発明の情報処理装置は、ユーザーによる操作を受け付ける操作パネルを有し電話回線を介して画像処理装置と接続され、前記画像処理装置又は前記画像処理装置とネットワークを介して接続された機器の内部に記憶された対象ファイルを前記画像処理装置から出力させる指示を行う情報処理装置であって、前記対象ファイルのアクセス情報を含むファイル指定データ、及び前記出力を行わせる際の前記画像処理装置の設定を選択させる内容の前記画像処理装置からの問い合わせに対する回答となる応答データを、テキストデータとして前記画像処理装置側に前記電話回線を通じて送付させる制御部を具備することを特徴とする。
【発明の効果】
【００１１】
上記の構成により、情報処理装置側からの操作により画像処理装置からの出力を行わせる作業を容易に行うことができる画像形成システムを得ることができる。
【図面の簡単な説明】
【００１２】
【図１】本発明の実施の形態に係る画像処理システムにおいて用いられる情報処理装置の構成を示す図である。
【図２】本発明の実施の形態に係る画像処理システムにおいて用いられる画像処理装置の構成を示す図である。
【図３】本発明の第１の実施の形態に係る画像処理システムにおける動作を示すフローチャートである。
【図４】本発明の第１の実施の形態に係る画像処理システムにおいて用いられる設定選択データ、応答データの例である。
【図５】本発明の第１の実施の形態に係る画像処理システムにおいて用いられる出力設定データの例である。
【図６】本発明の第２の実施の形態に係る画像処理システムの構成を示す図である。
【図７】本発明の第２の実施の形態に係る画像処理システムにおいて用いられるサーバーの構成を示す図である。
【図８】本発明の第２の実施の形態に係る画像処理システムにおける動作を示すフローチャートである。
【発明を実施するための形態】
【００１３】
以下、本発明を実施の形態に係る画像形成システムについて説明する。この画像形成システムにおいては、情報処理装置（携帯端末）と、画像形成装置（画像処理装置）とが組み合わせて構成され、画像形成装置における出力が、携帯端末側からの指示によって行われる。ここで、第１の実施の形態においては、携帯端末、画像形成装置がそれぞれ１台ずつ設けられる。第２の実施の形態においては、画像形成装置が複数設けられてその中の選択された１台により出力が行われ、携帯端末、画像形成装置とは別のサーバーも設けられる。
【００１４】
（第１の実施の形態）
図１は、この画像処理システムで用いられる携帯端末（情報処理装置）１の構成を示す図である。この携帯端末１は、全体の制御を行う制御部（端末側制御部）１０と、各種のデータを記憶する不揮発性メモリーやハードディスク等で構成された記憶部１１を具備する。また、携帯端末１は、電話回線と接続して通話を行う、あるいはＳＭＳ（Ｓｈｏｒｔ  Ｍｅｓｓａｇｅ  Ｓｅｒｖｉｃｅ）を利用することができる。ＳＭＳにおいては、例えば文書ファイル等の添付はできず、短いテキストデータの送付等を行うことが可能である。このため、この携帯端末１には、電話回線と接続するための電話回線接続部１２、音声の入出力を行う音声入出力部１３が設けられる。また、ユーザーからの指示を受け付けるための操作パネル１４、この際に必要な情報を表示するディスプレイを具備する表示部１５が設けられる。実際には操作パネル１４と表示部１５は、一体化されたタッチパネルディスプレイとして設けられる。この携帯端末１の構成は、通常知られる携帯電話と同様である。この携帯端末１は、ネットワークを介して外部の機器（画像形成装置を含む）と接続されていてもよいが、こうした機能は本願発明においては特に要求されない。
【００１５】
図２は、画像形成装置２の構成を示す図である。この画像形成装置２は、全体の制御を行う制御部（装置側制御部）２０と、トナーで構成された画像パターンを媒体上に形成して出力する作業を行う画像形成部２１を具備する。また、画像形成装置２においても、上記と同様に記憶部２２が設けられるが、画像形成装置２はある箇所に固定して設置された大型の装置であるため、記憶部２２の容量サイズは携帯端末１の記憶部１１の容量サイズよりも大きい。
【００１６】
記憶部２２には、画像形成部２１で出力される対象となる文書ファイルや画像ファイル（対象ファイル）が記憶されている。また、このファイルにアクセスする（このファイルを出力させる）ことができる携帯端末１は限定されている。携帯端末１の電話番号を識別のための識別番号として用い、各ファイルと、このファイルに対してアクセス可能な携帯端末１の識別番号との間の対応関係を記憶したユーザー情報が、記憶部２２に記憶されている。
【００１７】
また、携帯端末１と同様に、電話回線接続部２３、操作パネル２４、表示部２５が設けられる。また、この画像形成装置２は、電話回線を通じたファクシミリ（ファクシミリ受信、送信）通信を行う機能も有し、このためにファクシミリ通信部２６が設けられる。また、この画像形成装置２は、ネットワークを介して他の機器と接続され、他の機器との間でデータの授受をすることができ、このためにネットワーク接続部２７も設けられる。このデータの中には、画像形成部２１で出力される対象となる文書ファイルや画像ファイルも含ませることができる。また、このような文書ファイルや画像ファイルを画像形成部２１等によって出力させる動作については、特許文献１に記載のものと同様である。
【００１８】
この画像形成装置２の構成は複合機であり、この画像形成装置２には原稿から光学的に画像を読み取る機能等も有するが、これの機能は本願発明とは無関係であるために、これに関わる構成は図２では省略されている。
【００１９】
上記の携帯端末１のユーザーは、携帯端末１を操作することによって、上記の画像形成装置２を制御し、指定された対象ファイル（文書ファイル、画像ファイル）の出力を行わせることができる。この出力を行わせる際には、携帯端末１と画像形成装置２の間ではデータの授受が行われるが、このデータの授受は、ＳＭＳを用いて行われ、例えば出力の対象となるファイルを携帯端末１側から画像形成装置２側に送付することは不要であり、このファイルを指定する情報のみがＳＭＳを用いて行われる。また、この出力を行わせるに際しては、各種の設定（例えば印刷条件等）を行う必要があるが、このための問い合わせが画像形成装置２側から携帯端末１側に行われ、その回答が携帯端末２側から画像形成装置２側に行われる。この問い合わせ、回答もＳＭＳを用いて行われる。
【００２０】
この際に、携帯端末１側から画像形成装置２側にＳＭＳを介して送信されるデータ（テキストデータ）としては、以下に説明するように、ファイル指定データ、応答データがある。一方、画像形成装置２側から携帯端末１側にＳＭＳを介して送信されるデータ（テキストデータ）としては、以下に説明するように、設定選択用データ、出力設定データがある。ここで、ファイル指定データ、応答データはユーザーの操作によって携帯端末１側で作成される。設定選択用データ、出力設定データは、入手した応答データ等に応じて、画像形成装置２側において制御部２０により作成される。
【００２１】
図３は、上記の画像処理システムにおける、特に制御部１０、２０を中心とした動作を示すフローチャートである。この動作は、まず、出力の対象となる対象ファイルを指定することによって開始される。また、この画像形成装置２において、この対象ファイルの出力される態様は、図２において画像形成部２１による印刷出力、ファクシミリ通信部２６によるファクシミリ送信、のいずれかであるものとする。ここで、対象ファイルは、画像形成装置２の記憶部２２（文書フォルダ等）、あるいはこの画像形成装置２とネットワークを介して接続された機器（後述するサーバーや他の画像形成装置を含む）において記憶されている。このため、携帯端末１側において、ユーザーがこの対象ファイルのアクセス情報（ファイル名、記憶されたフォルダ名、記憶された機器のＩＰアドレス等）を指定することによって、この対象ファイルを特定することができる。このアクセス情報はテキストデータで記載することができ、このデータが前記のファイル指定データとなる。制御部１０は、このファイル指定データをＳＭＳによって画像形成装置２側に送信する（Ｓ１）。
【００２２】
ＳＭＳによってこのファイル指定データを受信して入手する（Ｓ２）ことによって、制御部２０は、携帯端末１側から出力の要求があること、及び対象ファイルを認識する。この際に、制御部２０は、この携帯端末１の電話番号（識別番号）を入手することができる。ここで、制御部２０は、記憶部２２から前記のユーザー情報を読出し、この携帯端末１がこの対象ファイルにアクセスする権限があるか否かを判定する（Ｓ３）。権限がないと認識されたら（Ｓ３：Ｎｏ）、以降の処理は行われず、携帯端末１からの出力の要求は拒否される。
【００２３】
権限があると認識されたら（Ｓ３：Ｙｅｓ）、制御部２０は、この出力が行われる際の設定を、段階的な問い合わせ形式で携帯端末１側に対して行う。ここでは、まず、前記の出力の態様（印刷出力、ファクシミリ送信）のどちらを選択するかの問い合わせが行われ、これをテキストデータ化したものが設定選択用データとなり、制御部２０は、この設定選択用データをＳＭＳにより携帯端末１に送信する（Ｓ４）。
【００２４】
この設定選択用データを受信した（Ｓ５）制御部１０は、これを携帯端末１の表示部１５で表示させることにより、この内容をユーザーが認識することができる。図４（ａ）は、このように表示された設定選択用データの内容の一例である。制御部１０は、図４（ａ）に示された１−１（印刷出力）と１−２（ファクシミリ送信）のいずれかを選択するようにユーザーに対して指示をすることにより、ユーザーは、この選択を行うことができる。これにより、制御部１０は、この問い合わせの回答となるテキストデータを応答データとして設定し、ＳＭＳにより画像形成装置２に送信する（Ｓ６）。図４（ｂ）は、印刷出力が選択された場合における応答データの例である。
【００２５】
この応答データを受信した制御部２０は、これに対応した次の設定を問い合わせるための設定選択データを作成し、再びＳＭＳにより携帯端末１に送信する（Ｓ４）。図４（ｃ）においては、印刷出力を行う際の用紙の選択を問い合わせる設定選択用データの内容が示されている。これに対応して、その中の２−１（Ａ４）が選択された場合の応答データが図４（ｄ）に示されている。その後、このような設定選択データとこれに対する応答データのやりとり（Ｓ４〜Ｓ７）は、選択された出力に対する全ての設定項目について完了するまで（Ｓ８：Ｙｅｓ）、行われる。
【００２６】
制御部２０は、全ての設定項目についての応答データを入手したら（Ｓ７：Ｙｅｓ）、入手した全ての応答データの内容をリスト化したテキストデータである出力設定データを、ＳＭＳにより携帯端末１に送信する（Ｓ９）。携帯端末１側において、表示部１５でこれを表示させることにより、ユーザーは、その最終的な内容を確認することができる。図５は、このような出力設定データの内容の示す例であり、上記の図４（ｂ）（ｄ）に対応している。この際、画像形成装置２側で、表示部２５、操作パネル２４等を用いてこの内容が編集可能とすることもできる。この場合には、編集後の出力設定データが携帯端末１に送信され、かつこの編集後の設定が以降で使用される。
【００２７】
その後、制御部２０は、この出力設定データの内容に基づき、対象ファイルの出力を行わせる（Ｓ１０）。上記の場合には、対象ファイルの画像形成部２１による印刷出力が、Ａ４用紙に対して行われる。
【００２８】
上記の動作においては、携帯電話１と画像形成装置２との間において授受されるのは、ＳＭＳを介したテキストデータ（ファイル指定データ、設定選択用データ、応答データ、出力設定データ）のみである。このため、電話回線のみを用いて、携帯電話１側から、画像形成装置２で所望の出力を行わせることができる。この際、所望の出力（上記の例の場合には印刷出力）の際の詳細な設定は、画像形成装置２側からの問い合わせ形式によって行われる（Ｓ４〜Ｓ７）ため、取扱説明書等を見なくとも、ユーザはこの設定を容易かつ適切に行うことができる。
【００２９】
また、携帯端末１が上記のように出力設定データを受信した場合（Ｓ９）、制御部１０は、これを記憶部１１に記憶させることができる。この場合、後で他の対象ファイルをこの画像形成装置２で出力させる際に、この対象ファイルに対応するファイル指定データと共にこの出力設定データを同時にＳＭＳにより画像形成装置２側に送信することができる。これを受信した制御部２０は、上記の出力を行った場合（Ｓ１０）と同様に、この対象ファイルをこの出力設定データの設定により出力させることもできる。この場合には、この対象ファイルの出力を特に容易に行わせることができる。
【００３０】
（第２の実施の形態）
上記の画像処理システムにおいては、携帯端末１と画像形成装置２とが１対１の関係で用いられた。一方、画像形成装置２が複数設けられた場合に、携帯端末が画像形成装置２のうちの一つと直接コンタクトせずに、他の装置（サーバー）を介して、上記の動作を同様に行わせることもできる。この場合には、ユーザー側の携帯端末１が直接アクセスするのはこのサーバーであり、画像形成装置２にのアクセスは直接は行われない。図６は、このような画像形成システムの構成を示す図である。ここでは、複数の画像形成装置２（２Ａ、２Ｂ、２Ｃ）が、共にネットワークＮを介してサーバー３と接続されている。サーバー３と携帯端末１との間のデータの授受は、電話回線Ｔを介して行われ、携帯端末１がネットワークＮと接続されていることは不要である。
【００３１】
図７は、この場合におけるサーバー３の構成を示す図である。サーバー３は、画像を出力する機能をもたないために、前記の画像形成装置２（図２）における画像形成部２１、ファクシミリ通信部２６に対応する構成要素は具備しないこと以外は、画像形成装置２と類似の構成を具備する。このため、同様に、制御部（サーバー側制御部）３０、記憶部３１、電話回線接続部３２、操作パネル３３、表示部３４、ネットワーク接続部３５が設けられる。
【００３２】
この場合には、携帯端末１側から送信されるデータには、出力に用いる画像形成装置２（２Ａ、２Ｂ、２Ｃ）を特定する装置指定データが上記に加えて用いられる。装置指定データも、上記のファイル指定データ等と同様にテキストデータで構成されるため、ＳＭＳで送信することができる。このため、携帯端末１とサーバー３との間のファイル指定データ等の授受は、上記と同様にＳＭＳを用いて行われる。一方、サーバー３と画像形成装置２（２Ａ、２Ｂ、２Ｃ）との間のデータの授受に際しては、電話回線Ｔを介したＳＭＳを同様に用いてもよく、ネットワークＮを介した他の手法を用いてもよい。
【００３３】
図８は、この場合における動作を図３に対応させて示すフローチャートである。ここでは、まず、携帯端末１において、ファイル指定データ、装置指定データがユーザーにより作成される。その後、携帯端末１側の制御部１０は、図３の場合（Ｓ１）と同様にファイル指定データをＳＭＳで送付する際に、装置指定データも同時に送信する（Ｓ１１）。前記の通り、この送信先はサーバー３である。これを受信した（Ｓ１２）サーバー３側の制御部３０は、装置指定データにより、図５における画像形成装置２Ａ、２Ｂ、２Ｃのどれが選択されたかを認識することができる（Ｓ１３）。このため、制御部３０は、受信したファイル指定データを選択された画像形成装置２（選択画像形成装置）に送信することができる（Ｓ１４）。この際の送信手法は、前記の通り、ＳＭＳに限定されないため、テキストデータであるファイル指定データをそのまま送信する必要はない。この際、制御部３０は、このファイル指定データを送信した携帯端末１の識別番号（電話番号）を認識することができるため、この識別番号も同時に送信する。
【００３４】
なお、前記の通り、画像形成装置２内の記憶部２２に記憶されたファイルや、画像形成装置２とネットワークを介して接続された機器に記憶されたファイルを対象ファイルとしてファイル指定データで指定することができるが、図６の構成においては、画像形成装置２Ａ、２Ｂ、２Ｃの記憶部２２、サーバー３の記憶部３１に記憶されたファイルを対象ファイルとすることができる。ここで、出力をさせるべき画像形成装置２（２Ａ、２Ｂ、２Ｃのいずれか）と、対象ファイルを記憶している画像形成装置２（２Ａ、２Ｂ、２Ｃのいずれか）とが同一である必要はない。
【００３５】
ファイル指定データを受信した（Ｓ１５）画像形成装置２側の制御部２０は、図３の場合（Ｓ３）と同様に、認識された携帯端末１の識別番号から、対象ファイルにアクセスする権限がこの携帯端末１にあるか否かを判定する（Ｓ１６）。この権限がないと判定されたら（Ｓ１６：Ｎｏ）、以降の処理は行われない。
【００３６】
この権限があると認識されたら（Ｓ１６：Ｙｅｓ）、この制御部２０は、図３の場合と同様の設定選択用データをサーバー３に送信し（Ｓ１７）、サーバー３はこれを中継し、携帯端末１に送信する（Ｓ１８）。この際の画像形成装置２からの送信手法も、上記と同様にＳＭＳに限定されないが、サーバー３から携帯端末１への送信はＳＭＳにより行われる。また、これに対応して、設定選択用データも画像形成装置２から送信される際には上記のようなテキストデータである必要はなく、サーバー３から携帯端末１へ送信される際にはテキストデータとされる。
【００３７】
これを受信した（Ｓ１９）携帯端末１側では、図３の場合（Ｓ５）と同様に応答データ（テキストデータ）が作成され、制御部１０は、これをＳＭＳでサーバー３に送信する（Ｓ２０）。これを受信したサーバー３は、この応答データを上記の選択画像形成装置に送信する（Ｓ２１）。この際の送信手法も、前記と同様にＳＭＳであることは不要であり、応答データの形態もテキストデータである必要はない。選択画像形成装置は、これを受信する（Ｓ２２）。
【００３８】
上記の動作（Ｓ１７〜Ｓ２２）は、図３の場合（Ｓ４〜Ｓ７）と同様に、選択された出力に対する全ての設定項目について完了するまで（Ｓ２３：Ｙｅｓ）、行われる。前記の場合（Ｓ４〜Ｓ７）と異なるのは、設定選択用データ、応答データの授受に際して、サーバー３が中継をすること（Ｓ１８、Ｓ２１）のみである。
【００３９】
その後、制御部２０は、全ての設定項目についての応答データを入手したら（Ｓ２３：Ｙｅｓ）、図３の場合（Ｓ９）と同様に、入手した全ての応答データの内容をリスト化したテキストデータである出力設定データを、サーバー３に送信する（Ｓ２４）。サーバー３は、これを受信した後に携帯端末１に送信する（Ｓ２５）。一方、選択画像形成装置は、この出力設定データに基づき、出力を行わせる（Ｓ２６）。
【００４０】
この動作においても、ユーザーは、携帯端末１のみを用いて、所望の画像形成装置２から対象ファイルの出力を行わせることができる。この際、携帯端末１から送信されるデータ、携帯端末１が受信するデータは、いずれもテキストデータであるため、これらのデータをＳＭＳにより送信、受信することができる。このため、電話回線が使用可能であれば、高度な機能を具備せず取り扱えるデータ容量が小さな携帯電話を、携帯端末１として用いることができる。この際、画像形成装置２の設定は、前記の例と同様に問い合わせ形式で行われるため、取扱説明書等を見なくとも、ユーザはこの設定を容易かつ適切に行うことができる。また、携帯端末１が通信を直接アクセスをする相手は常にサーバー３のみであるため、このアクセスのための操作も容易である。
【００４１】
前記の例では、対象ファイルの出力の態様としては、画像形成部２１による印刷出力と、ファクシミリ通信部２６によるファクシミリ送信の２種類があるものとされた。しかしながら、これら以外の出力の態様がある場合においても、上記と同様の動作が可能である。これに応じて、設定選択用データ、応答データ等の内容は適宜設定される。すなわち、上記の構成は、画像を様々な態様で出力することができる画像処理装置において有効である。
【符号の説明】
【００４２】
１  携帯端末（情報処理装置）
２、２Ａ、２Ｂ、２Ｃ  画像形成装置（画像処理装置）
３  サーバー
１０  制御部（端末側制御部）
１１、２２、３１  記憶部
１２、２３、３２  電話回線接続部
１３  音声入出力部
１４、２４、３３  操作パネル
１５、２５、３４  表示部
２０  制御部（装置側制御部）
２１  画像形成部
２６  ファクシミリ通信部
２７、３５  ネットワーク接続部
３０  制御部（サーバー側制御部）
Ｎ  ネットワーク
Ｔ  電話回線
【図１】
2020005082.tif 000003
【図２】
2020005082.tif 000004
【図３】
2020005082.tif 000005
【図４】
2020005082.tif 000006
【図５】
2020005082.tif 000007
【図６】
2020005082.tif 000008
【図７】
2020005082.tif 000009
【図８】
2020005082.tif 000010